(57)【要約】      （修正有）【課題】極めて簡易な構造によって、簡単に糸巻をひねって弦を張ることができ、また、丁度良い張り具合のところで糸巻が巻き戻りしないで固定できる糸巻及び三線を提供する。【解決手段】三線の糸巻１と、三線の嵌入孔または挿通孔との摩擦力を増すことで、弦の弛みを防止する三線の糸巻１であって、三線の糸巻１の、先端、もしくは、挿通孔と当接する部分、のいずれか一方が、または、先端、及び、挿通孔と当接する部分、の両方が、軟質素材２で覆われている三線の糸巻１、または、三線の糸巻１の先端が嵌入される嵌入孔の内壁、もしくは、三線の糸巻１が挿通される挿通孔の内壁、のいずれか一方に、または、三線の糸巻１の先端が嵌入される嵌入孔の内壁、及び、三線の糸巻１が挿通される挿通孔の内壁、の両方に、軟質素材２が取り付けられている。【選択図】図４
2015001583.tif 000002
【特許請求の範囲】
【請求項１】
三線の糸巻と、三線の嵌入孔または挿通孔との摩擦力を増すことで、弦の弛みを防止する三線の糸巻であって、
三線の糸巻の、先端、もしくは、挿通孔と当接する部分、のいずれか一方が、または、先端、及び、挿通孔と当接する部分、の両方が、軟質素材で覆われている
ことを特徴とする三線の糸巻。
【請求項２】
三線の糸巻と、三線の嵌入孔または挿通孔との摩擦力を増すことで、弦の弛みを防止する三線であって、
三線の糸巻の先端が嵌入される嵌入孔の内壁、もしくは、三線の糸巻が挿通される挿通孔の内壁、のいずれか一方に、または、三線の糸巻の先端が嵌入される嵌入孔の内壁、及び、三線の糸巻が挿通される挿通孔の内壁、の両方に、軟質素材が取り付けられている
ことを特徴とする三線。
【請求項３】
三線の糸巻と、三線の嵌入孔または挿通孔との摩擦力を増すことで、弦の弛みを防止する三線の糸巻であって、
三線の糸巻の、先端、もしくは、挿通孔と当接する部分、のいずれか一方が、または、先端、及び、挿通孔と当接する部分、の両方が、軟質素材で覆われている糸巻であって、挿通孔に挿通される部分から先端までが、全て同じ太さの棒状に形成されている
ことを特徴とする三線の糸巻。
【請求項４】
三線の糸巻が、三線の嵌入孔または挿通孔から受ける反発力を無くすことで、弦の弛みを防止する三線の糸巻であって、
糸巻の、挿通孔に挿通される部分から先端までが、全て同じ太さの棒状に形成されている
ことを特徴とする三線の糸巻。
【発明の詳細な説明】
【技術分野】
【０００１】
本願発明は、三線の調弦に用いられる糸巻が巻き戻りしにくい糸巻と三線に関する。
【背景技術】
【０００２】
三線などの弦楽器は、演奏の都度、演奏の前に弦を張って音を合わせる調弦を必要とするが、特に三線は、この調弦を糸巻と呼ばれる棹に差し込まれた棒によって行う。
つまり、調弦は、三線の棹に設けられた孔に差し込まれた状態で棹に固定されている糸巻をひねることによって行い、これによって糸巻に結びつけられた弦が巻き取られて弦が張られ、音を合わせることができる。
【０００３】
しかし、この糸巻は、棹に設けられた孔に差し込まれた状態で棹に固定されているだけであるため、強く張られた弦の張力によって糸巻が調弦の際にひねって巻いた方向とは反対の方向に戻ってしまい（これを「巻き戻り」という。）、その結果、弦が弛んでしまう。
そこで、弦の張力によって糸巻が巻き戻りしない発明が開示されている。
【先行技術文献】
【特許文献】
【０００４】
【特許文献１】特開２００６−１５４６９４公報
【特許文献２】特許第４９３３５９５号公報
【０００５】
特許文献１は、糸巻が棹に差し込まれる手前側と奥（先端側）の両方を貫通孔とし、糸巻の先端側からボルトで締めることで、糸巻の巻き戻りを防止している。
また、特許文献２は、糸巻の軸方向に対して直角方向から、棹に差し込まれた糸巻を押圧することで、糸巻が軸方向に微動したり、糸巻の軸の周方向に回動（巻き戻り）することを防止している。
【０００６】
しかしながら、三線の伝統的な考えからすれば、三線の糸巻をボルトで締めたり、糸巻を押圧するなどして糸巻の巻き戻りを防止する方法では、三線の見た目が変わってしまうため、三線の既存の利用者、愛好者には、簡単に受け入れられるものではない。
特に、上記特許文献１及び２の発明は、糸巻が差し込まれる棹自体を加工しなければならないため、加工に対して抵抗を感じる者も少なくなく、また、加工によって三線が高額化することも懸念される。
【０００７】
また、そもそも、調弦は、一度行えば二度としなくていいというものではなく、演奏場所における音響などの条件に合わせ、演奏の度に微妙な音合わせが必ず要求されるものであって、演奏の都度、演奏の前には、必ず調弦をして音を合わせることが必要になる。
それであるから、糸巻の巻き戻りを完全に防止するが如く技術は求められておらず、むしろ、調弦の都度、小さい力で簡単に糸巻をひねって最適な弦の張りを得て、また、丁度良い弦の張り具合の位置で、演奏の間中、糸巻が巻き戻りしない程度に小さい力で固定できれば良く、短時間、巻き戻りを防止でき、小さい力で簡単に調弦できる糸巻または三線が求められている。
【０００８】
このようなことから、小さい力で、糸巻と三線の糸巻が差し込まれる孔との間に、適度な摩擦力を得られれば、それで足りる。
また、一旦は固定した糸巻を、小さい力で簡単にひねって弦を弛められることが重要である。
【０００９】
また、糸巻が巻き戻るのは、先端に向かって細くなるという糸巻の形状にも原因がある。
つまり、糸巻が、先端に向かって細くなるテーパー状に加工されているため、糸巻を孔に挿通したときに、糸巻は孔から糸巻の先端とは反対向きの反発力を受けることになる。
この反発力によって、一旦は固定した糸巻が、徐々に先端とは反対方向に動き、その結果、糸巻と三線の糸巻が差し込まれる孔との間の摩擦力が弱くなり、最終的に、糸巻の軸の周方向に回動することで、糸巻が巻き戻ってしまう。
これを防ぐため、糸巻を必要以上の力で三線の孔に押し込むなどした結果、糸巻を壊してしまうことが多々ある。
【発明の概要】
【発明が解決しようとする課題】
【００１０】
そこで、本発明は、上記の問題点に鑑み、極めて簡易な構造によって、簡単に糸巻をひねって弦を張ることができ、また、丁度良い張り具合のところで糸巻が巻き戻りしないで固定できる糸巻及び三線を提供することを課題とする。
【００１１】
また、本発明は、糸巻が、三線の孔から反発力を受けない形状をなしていることによって、大きな力で糸巻を孔に押し込まなくても、糸巻が徐々に先端とは反対方向に動いて糸巻が軸の周方向に回動する巻き戻りが起きない糸巻及び三線を提供することを課題とする。
【課題を解決するための手段】
【００１２】
本発明は、
三線の糸巻と、三線の嵌入孔または挿通孔との摩擦力を増すことで、弦の弛みを防止する三線の糸巻であって、
三線の糸巻の、先端、もしくは、挿通孔と当接する部分、のいずれか一方が、または、先端、及び、挿通孔と当接する部分、の両方が、軟質素材で覆われている
ことを特徴とする三線の糸巻である。
【００１３】
本発明は、三線の糸巻が、三線の嵌入孔と接触する部分において、摩擦力が高まる工夫をすることで、糸巻が徐々に軸方向に動いたり、軸の周方向に回動するなどして、糸巻が巻き戻ってしまう結果、弦が弛んでしまうことを防止する三線の糸巻である。
三線の挿通孔とは、三線の棹に設けられた、糸巻を挿通する孔のことである。
三線の嵌入孔とは、三線の棹に設けられた、糸巻の先端だけを嵌入する孔のことである。
弦は、この挿通孔と嵌入孔との間で糸巻に巻き取られる。
【００１４】
本発明に係る三線の糸巻は、三線の糸巻の
（１）三線の棹に設けられた嵌入孔に嵌入する糸巻の先端のみ、
（２）糸巻が挿通孔に当接する部分のみ、
（３）三線の棹に設けられた嵌入孔に嵌入する糸巻の先端、及び、糸巻が挿通孔に当接する部分、の両方、
のいずれかが軟質素材で覆われていることを特徴とする。
【００１５】
本発明において軟質素材とは、軟質ポリ塩化ビニルや、アクリル樹脂、ＡＢＳ樹脂などの樹脂素材や、ゴム、合成ゴム、シリコンなど、摩擦係数が高い軟質素材を意味する。
【００１６】
本発明は、三線の糸巻の先端が軟質素材に覆われていることで、三線の棹に設けられた嵌入孔に糸巻の先端を嵌入させたとき、糸巻の先端を覆う軟質素材が三線の嵌入孔との摩擦力を高める。
その結果、大きな力で糸巻を嵌入孔に押し込まなくても、糸巻が徐々に軸方向に動いたり、軸の周方向に回動するなどの巻き戻りが生じにくい。
また、糸巻の先端を覆う軟質素材は、三線の嵌入孔との摩擦力を高めるだけで、糸巻を完全に固定するものではない。
そのため、小さい力で嵌入孔から糸巻を簡単に引き抜くことができ、また、小さい力で糸巻をひねって調弦することができる。
このようにして、音が合うまで何度でも小さい力で糸巻をひねって調弦でき、その間、糸巻は、嵌入孔に強く押し込まなくても巻き戻ることがない。
【００１７】
また、本発明は、三線の糸巻の、挿通孔に接触する部分が、軟質素材に覆われていることで、三線の棹に設けられた挿通孔に糸巻を挿通させたとき、糸巻を覆う軟質素材が三線の挿通孔との摩擦力を高める。
その結果、大きな力で糸巻を挿通孔に挿通させなくても、糸巻が徐々に軸方向に動いたり、軸の周方向に回動するなどの巻き戻りが生じにくい。
また、糸巻を覆う軟質素材は、三線の挿通孔との摩擦力を高めるだけで、糸巻を完全に固定するものではない。
そのため、小さい力で挿通孔から糸巻を簡単に引き抜くことができ、また、小さい力で糸巻をひねって調弦することができる。
このようにして、音が合うまで何度でも小さい力で糸巻をひねって調弦でき、その間、糸巻は、挿通孔に強く押し込まなくても巻き戻ることがない。
【００１８】
本発明は、
三線の糸巻と、三線の嵌入孔または挿通孔との摩擦力を増すことで、弦の弛みを防止する三線であって、
三線の糸巻の先端が嵌入される嵌入孔の内壁、もしくは、三線の糸巻が挿通される挿通孔の内壁、のいずれか一方に、または、三線の糸巻の先端が嵌入される嵌入孔の内壁、及び、三線の糸巻が挿通される挿通孔の内壁、の両方に、軟質素材が取り付けられている
ことを特徴とする三線である。
【００１９】
本発明は、三線の糸巻が、三線の嵌入孔と接触する部分において、摩擦力が高まる工夫をすることで、糸巻が徐々に軸方向に動いたり、軸の周方向に回動するなどして、糸巻が巻き戻ってしまう結果、弦が弛んでしまうことを防止する三線である。
三線の挿通孔とは、三線の棹に設けられた、糸巻を挿通する孔のことである。
三線の嵌入孔とは、三線の棹に設けられた、糸巻の先端だけを嵌入する孔のことである。
弦は、この挿通孔と嵌入孔との間で糸巻に巻き取られる。
【００２０】
本発明に係る三線は、三線の
（１）棹に設けられた嵌入孔の内壁のみ、
（２）棹に設けられた挿通孔の内壁のみ、
（３）棹に設けられた嵌入孔の内壁、及び、挿通孔の内壁、の両方、
のいずれかに軟質素材が取り付けられていることを特徴とする。
【００２１】
本発明において軟質素材とは、軟質ポリ塩化ビニルや、アクリル樹脂、ＡＢＳ樹脂などの樹脂素材や、ゴム、合成ゴム、シリコンなど、摩擦係数が高い軟質素材を意味する。
【００２２】
本発明は、三線の嵌入孔の内壁に、軟質素材が取り付けられていることで、三線の棹に設けられた嵌入孔に糸巻の先端を嵌入させたとき、嵌入孔の内壁に取り付けられた軟質素材が嵌入孔に嵌入される糸巻の先端との摩擦力を高める。
その結果、大きな力で糸巻を嵌入孔に押し込まなくても、糸巻が徐々に軸方向に動いたり、軸の周方向に回動するなどの巻き戻りが生じにくい。
また、嵌入孔の内壁に取り付けられた軟質素材は、嵌入孔に嵌入される糸巻の先端との摩擦力を高めるだけで、糸巻を完全に固定するものではない。
そのため、小さい力で嵌入孔から糸巻を簡単に引き抜くことができ、また、小さい力で糸巻をひねって調弦することができる。
このようにして、音が合うまで何度でも小さい力で糸巻をひねって調弦でき、その間、糸巻は、嵌入孔に強く押し込まなくても巻き戻ることがない。
【００２３】
また、本発明は、三線の挿通孔の内壁に、軟質素材が取り付けられていることで、三線の棹に設けられた挿通孔に糸巻を挿通させたとき、挿通孔の内壁に取り付けられた軟質素材が挿通孔に挿通される糸巻との摩擦力を高める。
その結果、大きな力で糸巻を挿通孔に挿通させなくても、糸巻が徐々に軸方向に動いたり、軸の周方向に回動するなどの巻き戻りが生じにくい。
また、三線の挿通孔の内壁に取り付けられた軟質素材は、挿通孔に挿通される糸巻との摩擦力を高めるだけで、糸巻を完全に固定するものではない。
そのため、小さい力で挿通孔から糸巻を簡単に引き抜くことができ、また、小さい力で糸巻をひねって調弦することができる。
このようにして、音が合うまで何度でも小さい力で糸巻をひねって調弦でき、その間、糸巻は、挿通孔に強く押し込まなくても巻き戻ることがない。
【００２４】
本発明は、
三線の糸巻と、三線の嵌入孔または挿通孔との摩擦力を増すことで、弦の弛みを防止する三線の糸巻であって、
三線の糸巻の、先端、もしくは、挿通孔と当接する部分、のいずれか一方が、または、先端、及び、挿通孔と当接する部分、の両方が、軟質素材で覆われている糸巻であって、挿通孔に挿通される部分から先端までが、全て同じ太さの棒状に形成されている
ことを特徴とする三線の糸巻である。
【００２５】
本発明は、三線の糸巻の
（１）三線の棹に設けられた嵌入孔に嵌入する糸巻の先端のみ、
（２）糸巻が三線の挿通孔に当接する部分のみ、
（３）三線の棹に設けられた嵌入孔に嵌入する糸巻の先端、及び、糸巻が挿通孔に当接する部分、の両方、
のいずれかが軟質素材で覆われている三線の糸巻において、特に、糸巻の三線の棹に差し込まれている部分（挿通孔を挿通する部分から先端まで）の形状が、全て同じ太さの棒状に形成されていることを特徴とする。
【００２６】
糸巻が、全て同じ太さになっていることで、糸巻を挿通孔に挿通し、または嵌入孔に嵌入したときに、糸巻は挿通孔または嵌入孔から、糸巻の先端と反対向きの反発力を受けることがない。
そのため、糸巻を三線の挿通孔または嵌入孔に差し込んで固定した後でも、糸巻が徐々に糸巻の先端とは反対方向に動くことがない。
当然、糸巻と三線の糸巻が差し込まれる孔との間の摩擦力が弱くなるということがないから、最終的に、糸巻が糸巻の軸の周方向に回動することによる巻き戻りは生じない。
このように、本発明は、そもそもの糸巻の巻き戻りの原因を解消することを、糸巻の形状を全て同じ太さの棒状に形成することによって実現したものである。
これにより、従来、必要以上の力で糸巻を三線の孔に押し込むなどして糸巻を壊していた事故を、全て防ぐことができる。
【００２７】
また、本発明は、巻き戻りしないうえに、糸巻自体が軟質素材で覆われていることから、調弦の都度、小さい力で簡単に糸巻をひねって最適な弦の張りを得ることができ、また、小さい力で丁度良い弦の張り具合の位置で糸巻を固定できる。
【００２８】
本発明は、
三線の糸巻が、三線の嵌入孔または挿通孔から受ける反発力を無くすことで、弦の弛みを防止する三線の糸巻であって、
糸巻の、挿通孔に挿通される部分から先端までが、全て同じ太さの棒状に形成されている
ことを特徴とする三線の糸巻である。
【００２９】
本発明は、糸巻の三線の棹に差し込まれている部分（挿通孔を挿通する部分から先端まで）の形状が、全て同じ太さの棒状に形成されていることを特徴とする。
糸巻の差し込み部分が全て同じ太さになっていることで、糸巻を挿通孔に挿通し、さらに嵌入孔に嵌入したとき、糸巻は挿通孔や嵌入孔から、糸巻の先端と反対向きの反発力を受けることがない。
そのため、糸巻を三線の挿通孔や嵌入孔に差し込んで固定した後になって、糸巻が徐々に糸巻の先端とは反対方向に動き、糸巻が弛むことがない。
当然、糸巻と挿通孔、嵌入孔との間の摩擦力が弱くなるということがないため、糸巻が糸巻の軸の周方向に回動することがなく、結果として、巻き戻りは生じない。
このように、本発明は、そもそもの糸巻の巻き戻りの原因である、糸巻が徐々に糸巻の先端とは反対方向に動き、糸巻が弛むことを解消するため、糸巻の形状を全て同じ太さの棒状に形成したものである。
これにより、従来、必要以上の力で糸巻を三線の孔に押し込むなどが原因で糸巻が壊れてしまっていた事故を全て防ぐことができる。
【発明の効果】
【００３０】
本発明は以下の効果を奏する。
１）糸巻または三線の孔（嵌入孔または挿通孔）を軟質素材で覆うことで、糸巻と三線の孔との間に摩擦力が得られ、大きな力で糸巻を三線の孔（嵌入孔または挿通孔）に差し込まなくても、丁度良い弦の張り具合の位置で糸巻を固定でき、演奏の間中、糸巻が徐々に糸巻の先端とは反対側の軸方向に押し戻されてしまったり、糸巻の軸の周方向に糸巻が回動して巻き戻ってしまうことがない。また、糸巻が三線の孔にしっかり固定されていても、小さな力で、簡単に糸巻をひねって最適な弦の張りを得ることができる。
【００３１】
２）糸巻の形状を、全て同じ太さの棒状に形成していることで、糸巻を三線の孔（嵌入孔または挿通孔）に差し込んで固定した後でも、糸巻は三線の孔（嵌入孔または挿通孔）から反発力を受けることが無く、糸巻が徐々に糸巻の先端とは反対側の軸方向に押し戻されることがなく、その結果、糸巻の軸の周方向に糸巻が回動して巻き戻ってしまうことがない。
【００３２】
３）糸巻が巻き戻りしないようにする意図で糸巻を三線の孔に大きな力で押し込むと糸巻が壊れてしまっていたが、小さい力でも十分な摩擦力を得て糸巻を固定することができるため、このような事故は全て防ぐことができる。
【図面の簡単な説明】
【００３３】
【図１】従来からある三線の糸巻の一例を示す図
【図２】図１の三線の糸巻について、その先端のみが軟質素材で覆われている状態を示す差し込み部分の断面図
【図３】図１の三線の糸巻について、糸巻が三線の挿通孔に当接する部分のみが軟質素材で覆われている状態を示す差し込み部分の断面図
【図４】図１の三線の糸巻について、先端と、糸巻が三線の挿通孔に当接する部分と、の両方が軟質素材で覆われている状態を示す差し込み部分の断面図
【図５】図１の三線の糸巻について、先端と、糸巻が三線の挿通孔に当接する部分と、の両方が軟質素材で覆われている状態を示す外観図
【図６】図１の三線の糸巻が、三線の棹に設けられた挿通孔、嵌入孔に差し込まれた状態を示す差し込み部分の断面図
【図７】糸巻が差し込まれていない状態の図６の三線において、三線の嵌入孔の内壁のみに軟質素材が取り付けられている状態を示す差し込み部分の断面図
【図８】糸巻が差し込まれていない状態の図６の三線において、三線の挿通孔の内壁のみに軟質素材が取り付けられている状態を示す差し込み部分の断面図
【図９】糸巻が差し込まれていない状態の図６の三線において、三線の嵌入孔及び挿通孔の両方の内壁に軟質素材が取り付けられている状態を示す差し込み部分の断面図
【図１０】三線に差し込む部分が均一の太さに形成された糸巻の一例を示す図
【図１１】図１０の三線の糸巻について、その先端のみが軟質素材で覆われている状態を示す差し込み部分の断面図
【図１２】図１０の三線の糸巻について、糸巻が三線の挿通孔に当接する部分のみが軟質素材で覆われている状態を示す差し込み部分の断面図
【図１３】図１０の三線の糸巻について、先端と、糸巻が三線の挿通孔に当接する部分と、の両方が軟質素材で覆われている状態を示す差し込み部分の断面図
【図１４】図１０の三線の糸巻について、先端と、糸巻が三線の挿通孔に当接する部分と、の両方が軟質素材で覆われている状態を示す外観図
【図１５】図１０の三線の糸巻が、三線の棹に設けられた挿通孔、嵌入孔に差し込まれた状態を示す差し込み部分の断面図
【図１６】糸巻が差し込まれていない状態の図１５の三線において、三線の嵌入孔の内壁のみに軟質素材が取り付けられている状態を示す差し込み部分の断面図
【図１７】糸巻が差し込まれていない状態の図１５の三線において、三線の挿通孔の内壁のみに軟質素材が取り付けられている状態を示す差し込み部分の断面図
【図１８】糸巻が差し込まれていない状態の図１５の三線において、三線の嵌入孔及び挿通孔の両方の内壁に軟質素材が取り付けられている状態を示す差し込み部分の断面図
【発明を実施するための形態】
【００３４】
本発明の実施の形態について図面を用いて説明する。
【００３５】
図１は、従来からある三線の糸巻の一例を示す図である。
従来からある三線の糸巻は、糸巻の差し込み部分（三線の棹に設けられた挿通孔、嵌入孔に糸巻を差し込むために細く削られた糸巻の先端側の部分）が、先端に向かって先細の形状になっている。
このように、先端に向かって細くなるテーパー状に加工されているため、糸巻を挿通孔、嵌入孔に差し込んだときに、糸巻は各孔から糸巻の先端とは反対向きの反発力を受けることになる。
この反発力を受けて、一旦は固定した糸巻が、先端とは反対方向に徐々に動き、その結果、糸巻と挿通孔や嵌入孔との間の摩擦力が弱くなり、最終的に、糸巻の軸の周方向に回動して、糸巻が巻き戻ってしまう。
これを防ぐには、反発力を受けても糸巻が挿通孔、嵌入孔から押し戻されないように、強い力で孔に差し込まなければならないが、その結果、糸巻がひび割れたり、折れたりして壊れてしまう。
そこで、本発明は、図２以降の実施例に示すような方法で、簡単に糸巻をひねって弦を張ることができ、また、丁度良い張り具合のところで糸巻が巻き戻りしないで固定できる糸巻及び三線を提供する。
さらに、本発明は、糸巻を、三線の孔から反発力を受けない形状にすることによって、大きな力で糸巻を孔に押し込まなくても、糸巻が徐々に先端とは反対方向に動いて糸巻が軸の周方向に回動する巻き戻りが起きない糸巻及び三線を提供する。
【００３６】
図２〜４は、三線の棹３に設けられた挿通孔４、嵌入孔５に糸巻１を差し込むために細く削られた糸巻１の先端側の差し込み部分が軟質素材２で覆われた状態を示した、糸巻１の差し込み部分の断面図である。
図２は、嵌入孔５に嵌入する糸巻１の先端のみが軟質素材２で覆われており、図３は、糸巻１が三線の挿通孔４に当接する部分のみが軟質素材２で覆われており、図４は、糸巻１の先端と糸巻１が三線の挿通孔４に当接する部分との両方が軟質素材２で覆われている状態を示している。
また、図１の糸巻１の先端と糸巻１が三線の挿通孔４に当接する部分との両方が軟質素材２で覆われている状態の外観図を図５に示す。
【００３７】
軟質素材２は、軟質ポリ塩化ビニルや、アクリル樹脂、ＡＢＳ樹脂などの樹脂素材や、ゴム、合成ゴム、シリコンなど、摩擦係数が高いものであれば全て含み、例えば、ポリ塩化ビニルのチューブを切断したものは、糸巻をチューブの孔に挿入するだけで簡単に糸巻を軟質素材で覆うことができるので、好適である。
ポリ塩化ビニルのチューブは、種々の内径のものが販売されているため、糸巻の差し込み部分の太さに合った内径のものを使うことで、糸巻の太さに合った径のチューブで糸巻を覆うことができる。
以下の図面に基づく実施例においても、同様の軟質素材を使うことができる。
【００３８】
三線の糸巻１の先端が軟質素材２に覆われていることで、三線の棹３に設けられた嵌入孔５に糸巻１の先端を嵌入させたとき、糸巻１の先端を覆う軟質素材２が三線の嵌入孔５との摩擦力を高める。
同様に、三線の糸巻１の、棹３に設けられた挿通孔４に接触する部分が、軟質素材２に覆われていることで、三線の棹３に設けられた挿通孔４に糸巻１を挿通させたとき、糸巻１を覆う軟質素材２が三線の挿通孔４との摩擦力を高める。
その結果、大きな力で糸巻１を挿通孔４、嵌入孔５に押し込まなくても、糸巻１が徐々に先端とは反対側の軸方向に押し戻されて動いたり（弛んだり）、さらに軸の周方向に回動することがなく、巻き戻りが生じにくい。
なお、糸巻１の先端を覆う軟質素材２は、三線の挿通孔４、嵌入孔５との摩擦力を高めるだけで、糸巻１を完全に固定するものではない。
そのため、小さい力で挿通孔４、嵌入孔５から糸巻１を簡単に引き抜くことができ、また、小さい力で糸巻１をひねって調弦をやり直すことができる。
このようにして、音が合うまで何度でも小さい力で糸巻１をひねって繰り返し調弦でき、その間、糸巻１は、挿通孔４、嵌入孔５に強く押し込まなくても、糸巻１が巻き戻ることはない。
【００３９】
図６は、図１の三線の糸巻１が、三線の棹３に設けられた挿通孔４、嵌入孔５に差し込まれた状態を示す差し込み部分における断面図である。
図面の左側の棹３に設けられた孔が嵌入孔５であり、図面の右側の棹３に設けられた孔が挿通孔４である。
糸巻１は、図面の右側から左側に向かって、棹３に設けられた挿通孔４、嵌入孔５に差し込まれる。
【００４０】
図６の実施例が、従来からある三線の糸巻１を挿通孔４、嵌入孔５に差し込んだ状態を示したものである。
糸巻１の差し込み部分（三線の棹に設けられた挿通孔、嵌入孔に糸巻を差し込むために細く削られた糸巻の先端側の部分）が、先端に向かって先細の形状になっているため、糸巻１を挿通孔４、嵌入孔５に差し込んだときに、糸巻１は各孔から糸巻１の先端とは反対向きの反発力を受けることになる。
この反発力を受けて、一旦は固定した糸巻１が、先端とは反対方向に徐々に動き、その結果、糸巻１と挿通孔４や嵌入孔５との間の摩擦力が弱くなり、最終的に、糸巻の軸の周方向に回動して、糸巻１が巻き戻ってしまう。
そこで、図７〜９のとおり、三線の挿通孔４や嵌入孔５の内壁に直接軟質素材２を取り付けることで、糸巻１を差し込んだときに糸巻１と各孔との摩擦力を高め、糸巻１の巻き戻りを防いでいる。
【００４１】
図７〜９は、図６の、糸巻１が差し込まれていない状態の、三線の嵌入孔５、挿通孔４の各内壁に軟質素材２が取り付けられた状態を示す断面図である。
図７は、嵌入孔５の内壁のみに軟質素材２が取り付けられており、図８は、挿通孔４の内壁のみに軟質素材２が取り付けられており、図９は、嵌入孔５及び挿通孔４の両方の内壁に軟質素材２が取り付けられている状態を示している。
【００４２】
軟質素材２は、糸巻１との摩擦力が十分に得られれば、挿通孔４、嵌入孔５の各内壁の全てに取り付けなくても良い。
特に、嵌入孔５の最も奥の壁面部分は、軟質素材２が取り付けられていても、糸巻１との摩擦力を高めることに貢献しない。
そこで、例えば、ポリ塩化ビニルのチューブを切断したものを嵌入孔５に嵌め込むようにして取り付けることができる。
この場合、チューブは筒状になっているから、嵌入孔５に嵌め込んでも、嵌入孔５の最も奥の壁面部分にはチューブは取り付けられない。
なお、挿通孔４にも、ポリ塩化ビニルのチューブを切断したものを嵌め込むようにして取り付けることができる。
ポリ塩化ビニルのチューブは、種々の内径のものが販売されているため、挿通孔４、嵌入孔５の内径に合ったものを選択でき、簡単に入手して取り付けることができる。
【００４３】
図１０は、糸巻１の差し込み部分（三線の棹３に設けられた挿通孔４、嵌入孔５に糸巻１を差し込むために細く削られた糸巻１の先端側の部分）が、全て同じ太さの棒状に形成された糸巻の一例を示す図である。
【００４４】
糸巻１の差し込み部分が全て同じ太さになっていることで、糸巻１を挿通孔４に挿通し、さらに嵌入孔５に嵌入したとき、糸巻１は挿通孔４や嵌入孔５から、糸巻１の先端と反対向きの反発力を受けることがない。
そのため、糸巻１を三線の挿通孔４や嵌入孔５に差し込んで固定した後になって、糸巻１が徐々に糸巻１の先端とは反対方向に動き、糸巻１が弛むことがない。
当然、糸巻１と挿通孔４、嵌入孔５との間の摩擦力が弱くなるということがないため、糸巻１が糸巻１の軸の周方向に回動することがなく、結果として、巻き戻りは生じない。
このように、本発明は、そもそもの糸巻１の巻き戻りの原因である、糸巻１が徐々に糸巻１の先端とは反対方向に動き、糸巻１が弛むことを解消するため、糸巻１の形状を全て同じ太さの棒状に形成したものである。
これにより、従来、必要以上の力で糸巻１を三線の孔に押し込むなどが原因で糸巻１が壊れてしまっていた事故を全て防ぐことができる。
なお、嵌入孔５に嵌入される糸巻１の最先端が角状に形成されるように、差し込み部分の全てが同じ太さの棒状に形成されていることが望ましい。
しかし、嵌入孔５から受ける反発力は（糸巻１が挿通孔４から受ける反発力に比して）小さいため、先細の形状に加工することもできる。
この先細の形状に加工しておくことで、糸巻１を挿通孔４、嵌入孔５に差し込みやすくなる。。
【００４５】
図１１〜１３は、図１０の糸巻１の差し込み部分が軟質素材２で覆われた状態を示した、糸巻１の差し込み部分の断面図である。
図１１は、嵌入孔５に嵌入する糸巻１の先端のみが軟質素材２で覆われており、図１２は、糸巻１が三線の挿通孔４に当接する部分のみが軟質素材２で覆われており、図１３は、糸巻１の先端と糸巻１が三線の挿通孔４に当接する部分との両方が軟質素材２で覆われている状態を示している。
また、図１０の糸巻１の先端と糸巻１が三線の挿通孔４に当接する部分との両方が軟質素材２で覆われている状態の外観図を図１４に示す。
【００４６】
糸巻１の先端が軟質素材２に覆われていることで、三線の棹３に設けられた嵌入孔５に糸巻１の先端を嵌入させたとき、糸巻１の先端を覆う軟質素材２が三線の嵌入孔５との摩擦力を高める。
そして、糸巻１の差し込み部分は、太さが全て同じであるため、糸巻１が嵌入孔５から反発力を受けることがない。
同様に、糸巻１の、三線の棹３に設けられた挿通孔４と接触する部分が、軟質素材２に覆われていることで、三線の棹３に設けられた挿通孔４に糸巻１を挿通させたとき、糸巻１を覆う軟質素材２が三線の挿通孔４との摩擦力を高める。
そして、糸巻１の差し込み部分は、太さが全て同じであるため、糸巻１が挿通孔４から反発力を受けることがない。
その結果、大きな力で糸巻１を挿通孔４、嵌入孔５に押し込まなくても、糸巻１が徐々に先端とは反対側の軸方向に押し戻されて動いたり（弛んだり）、さらに軸の周方向に回動することがなく、巻き戻りが生じにくい。
なお、糸巻１の先端を覆う軟質素材２は、三線の挿通孔４、嵌入孔５との摩擦力を高めるだけで、糸巻１を完全に固定するものではない。
そのため、小さい力で挿通孔４、嵌入孔５から糸巻１を簡単に引き抜くことができ、また、小さい力で糸巻１をひねって調弦をやり直すことができる。
このようにして、音が合うまで何度でも小さい力で糸巻１をひねって繰り返し調弦でき、その間、糸巻１は、挿通孔４、嵌入孔５に強く押し込まなくても、糸巻１が巻き戻ることはない。
【００４７】
図１５は、図１０の三線の糸巻１が、三線の棹３に設けられた挿通孔４、嵌入孔５に差し込まれた状態を示す差し込み部分における断面図である。
図面の左側の棹３に設けられた孔が嵌入孔５であり、図面の右側の棹３に設けられた孔が挿通孔４である。
糸巻１は、図面の右側から左側に向かって、棹３に設けられた挿通孔４、嵌入孔５に差し込まれる。
【００４８】
図１５の実施例が、差し込み部分の太さが全て同じ糸巻１を挿通孔４、嵌入孔５に差し込んだ状態を示したものである。
糸巻１の差し込み部分（三線の棹に設けられた挿通孔、嵌入孔に糸巻を差し込むために細く削られた糸巻の先端側の部分）が、全て同じ太さであるため、糸巻１を挿通孔４、嵌入孔５に差し込んでも、糸巻１は各孔から糸巻１の先端とは反対向きの反発力を受けることがない。
その結果、大きな力で糸巻１を挿通孔４、嵌入孔５に押し込まなくても、糸巻１が徐々に先端とは反対側の軸方向に押し戻されて動いたり（弛んだり）、さらに軸の周方向に回動することがなく、巻き戻りが生じにくい。
なお、糸巻１の先端を覆う軟質素材２は、三線の挿通孔４、嵌入孔５との摩擦力を高めるだけで、糸巻１を完全に固定するものではない。
そのため、小さい力で挿通孔４、嵌入孔５から糸巻１を簡単に引き抜くことができ、また、小さい力で糸巻１をひねって調弦をやり直すことができる。
このようにして、音が合うまで何度でも小さい力で糸巻１をひねって繰り返し調弦でき、その間、糸巻１は、挿通孔４、嵌入孔５に強く押し込まなくても、糸巻１が巻き戻ることはない。
【００４９】
図１６〜１８は、図１０の、糸巻１が差し込まれていない状態の、三線の嵌入孔５、挿通孔４の各内壁に軟質素材２が取り付けられた状態を示す断面図である。
図１６は、嵌入孔５の内壁のみに軟質素材２が取り付けられており、図１７は、挿通孔４の内壁のみに軟質素材２が取り付けられており、図１８は、嵌入孔５及び挿通孔４の両方の内壁に軟質素材２が取り付けられている状態を示している。
【００５０】
そもそも、図１０のように、糸巻１の差し込み部分（三線の棹３に設けられた挿通孔４、嵌入孔５に糸巻１を差し込むために細く削られた糸巻１の先端側の部分）が、全て同じ太さの棒状に形成された糸巻１を差し込む場合、糸巻１は挿通孔４や嵌入孔５から、糸巻１の先端と反対向きの反発力を受けることがないため、軟質素材２を取り付けなくても、糸巻１と挿通孔４、嵌入孔５との間の摩擦力が弱くなるということがないため、糸巻１が糸巻１の軸の周方向に回動することがなく、結果として、巻き戻りは生じない。
しかし、挿通孔４、嵌入孔５の内壁に、軟質素材２が取り付けられていることで、より安定して糸巻１を固定できる。
なお、軟質素材２の特徴は、差し込まれた糸巻１を完全に固定するわけではない、ということにある。
つまり、軟質素材２は、糸巻１を挿通孔４、嵌入孔５に強く押し込まなくても、糸巻１が巻き戻らない程度に摩擦力を高め、小さい力で挿通孔４、嵌入孔５から糸巻１を簡単に引き抜くことができ、また、小さい力で糸巻１をひねって調弦をやり直すことができるという効果を得ることができる。
そのため、音が合うまで何度でも小さい力で糸巻１をひねって繰り返し調弦できる。
また、三線の棹３に設けられた挿通孔４、嵌入孔５が、どのような内径、形状であっても、軟質素材２を取り付けることができる。
【００５１】
軟質素材２は、糸巻１との摩擦力が十分に得られれば、挿通孔４、嵌入孔５の各内壁の全てに取り付けなくても良い。
特に、嵌入孔５の最も奥の壁面部分は、軟質素材２が取り付けられていても、糸巻１との摩擦力を高めることに貢献しない。
そこで、例えば、ポリ塩化ビニルのチューブを切断したものを嵌入孔５に嵌め込むようにして取り付けることができる。
この場合、チューブは筒状になっているから、嵌入孔５に嵌め込んでも、嵌入孔５の最も奥の壁面部分にはチューブは取り付けられない。
なお、挿通孔４にも、ポリ塩化ビニルのチューブを切断したものを嵌め込むようにして取り付けることができる。
ポリ塩化ビニルのチューブは、種々の内径のものが販売されているため、挿通孔４、嵌入孔５の内径に合ったものを選択でき、簡単に入手して取り付けることができる。
【符号の説明】
【００５２】
１    糸巻
２    軟質素材
３    三線の棹
４    挿通孔
５    嵌入孔
【図１】
2015001583.tif 000003
【図２】
2015001583.tif 000004
【図３】
2015001583.tif 000005
【図４】
2015001583.tif 000006
【図５】
2015001583.tif 000007
【図６】
2015001583.tif 000008
【図７】
2015001583.tif 000009
【図８】
2015001583.tif 000010
【図９】
2015001583.tif 000011
【図１０】
2015001583.tif 000012
【図１１】
2015001583.tif 000013
【図１２】
2015001583.tif 000014
【図１３】
2015001583.tif 000015
【図１４】
2015001583.tif 000016
【図１５】
2015001583.tif 000017
【図１６】
2015001583.tif 000018
【図１７】
2015001583.tif 000019
【図１８】
2015001583.tif 000020